(57)【要約】【目的】遊技盤上に打ち出されて落下する遊技球の落下進路を一度に振り分けることができ、しかも遊技者への遊技の演出に優れる振り分け装置を提供する。【構成】一方が他方を覆うようにして、互いに交差する方向に伸びる２つの回転中心軸の周りにそれぞれ回転自在である２つの椀状体と、前記椀状体の各々を互いに異なる回転速度にて回転せしめる駆動手段と、からなることを特徴とする。【選択図】図３
2007151912.tif 000002
【特許請求の範囲】
【請求項１】
遊技盤上に打ち出されて落下する遊技球の落下進路を振り分ける振分け装置であって、
一方が他方を覆うようにして、互いに交差する方向に伸びる２つの回転中心軸の周りにそれぞれ回転自在である２つの椀状体と、
前記椀状体の各々を互いに異なる回転速度にて回転せしめる駆動手段と、からなることを特徴とする遊技機の振り分け装置。
【請求項２】
前記椀状体のうちの少なくとも一方の内壁面に突条を有することを特徴とする請求項１記載の遊技機の振り分け装置。
【請求項３】
前記椀状体は可塑性樹脂からなることを特徴とする請求項１又は２に記載の遊技機の振り分け装置。
【請求項４】
前記椀状体の一方の前記回転中心軸は前記遊技盤に対して垂直であることを特徴とする請求項１乃至３のうちの１に記載の遊技機の振り分け装置。
【請求項５】
前記椀状体の下流にはステージ機構を有することを特徴とする請求項１乃至４のうちの１に記載の遊技機の振り分け装置。
【請求項６】
前記椀状体の回転経路の一部が前記遊技盤に設けられた半球状の凹部内に位置することを特徴とする請求項１乃至５のうちの１に記載の遊技機の振り分け装置。
【請求項７】
前記椀状体は少なくも一部に透明部分を有することを特徴とする請求項１乃至６のうちの１に記載の遊技機の振り分け装置。
【発明の詳細な説明】
【技術分野】
【０００１】
本発明は、遊技盤上に打ち出されて落下する遊技球の落下進路を振り分ける振分け装置に関する。
【背景技術】
【０００２】
パチンコ機などの遊技機において、中央役物装置の内部の空間に遊技球を導いて、例えば賞球の得やすい高確率ルートへ向けてその一部の遊技球を振り分ける振り分け装置を含む遊技機がある。振り分け装置は、遊技球を確実に所定のルートへ振り分けるという本質的な機能を有する一方で、振り分け装置上において遊技球を運動せしめるなどして視覚的効果によって遊技者への遊技の演出を行う演出的な機能をも有している。このような振り分け装置としては波形ステージ機構が広く知られている。波形ステージ機構は、一般的にその長手方向に連続した山部と谷部とを有しており、山部の頂部には高確率ルートへ接続された凹溝部が形成されている。波形ステージ機構の長手方向に沿って進行するように導かれた遊技球は、波形ステージ機構の谷部及び山部に沿って上下に運動しながら移動して、遊技者への視覚的な演出を行う。また、遊技球の一部は山部に形成された凹溝部から「当たり球」として高確率ルートへと導かれるが、ほとんどの遊技球は谷部からステージ機構外へ「はずれ球」として排出されて振り分けが行われるのである。ところで、このような波形ステージ機構の上に数多くの遊技球が集中してしまうと、遊技球同士が衝突してステージ機構上での動きが渋滞し、遊技球の動きが単調になってしまうのである。つまり振り分け装置としての遊技の演出の機能を損ねてしまうのである。そこでステージ機構の上流部に更に振り分け装置（若しくは、振り分け部）を設けて、ステージ機構上に流入する遊技球の数を制限することが行われている。
【０００３】
例えば、特許文献１では、中央役物装置の内部に導かれた遊技球を振り分ける「クルーン」と呼ばれる振り分け機構をステージ上に有する遊技機を開示している。クルーンは、波形ステージ機構と同様、数多くの遊技球がこの上に集中してしまうと振り分け装置としての機能を損ねてしまうのである。そこでクルーンの上流部にステージ機構上、若しくは、ステージ機構の外へ遊技球を振り分けるための振り分け部を設けている。振り分け部は２つの孔からなり、一方の孔はステージ機構に連通し、他方はステージ機構の外に連通している。中央役物装置の側面開口から中央役物装置内に導かれた遊技球は、振り分け部の２つの孔のいずれかを通過してステージ機構上、若しくは、ステージ機構の外へと振り分けられるのである。
【特許文献１】特開２００５−８０８２３
【発明の開示】
【発明が解決しようとする課題】
【０００４】
特許文献１に開示された如き振り分け部を有する中央役物装置では、遊技盤上に打ち出されて落下する遊技球を受け止める入賞口としての側面開口などを中央役物装置の外壁に設けて、遊技盤上に打ち出された遊技球の一部だけを振り分け部に導いている。つまり、該振り分け部では遊技球を１個づつ振り分けているため、一度に多数個の遊技球が振り分け部上に滞留してしまうと、球詰まりを生じてしまうのである。すなわち、遊技球を１個づつ振り分けるような振り分け部では、例えば、遊技盤上に打ち出されて落下する多数個の遊技球を一度に直接受け止めて、これらを振り分けることはできないのである。更に、可動部を有さない振り分け部は、もっぱら振り分け部上での遊技球の動きのみが遊技者への遊技の演出となる。これについても一度に多数個の遊技球が振り分け部上に集中してしまうと、遊技球の動きが渋滞して遊技球の演出としては緩慢なものになってしまうのである。
【０００５】
そこで、本発明では、遊技盤上に打ち出されて落下する遊技球の落下進路を一度に振り分けることのできる振り分け装置であって、遊技者への遊技の演出にも優れる振り分け装置を提供する。
【課題を解決するための手段】
【０００６】
本発明による遊技盤上に打ち出されて落下する遊技球の落下進路を振り分ける振分け装置は、一方が他方を覆うようにして、互いに交差する方向に伸びる２つの回転中心軸の周りにそれぞれ回転自在である２つの椀状体と、前記椀状体の各々を互いに異なる回転速度にて回転せしめる駆動手段と、からなることを特徴とする。
【０００７】
本発明による振り分け装置によれば、遊技盤上に打ち出されて落下する多数個の遊技球の落下進路を一度に振り分けることができる。また、２つの椀状体を独立して回転させ得て遊技球をバラエティーに富んだ形態でその落下進路を振り分けることができる。また、可動部としての椀状体の変化に富んだ運動及び遊技者も想像し難いような遊技球の複雑な動きによって、遊技者の振り分け装置への注意を惹起させて遊技の高い演出効果を得ることができるのである。
【発明を実施するための形態】
【０００８】
本発明による遊技球の振分け装置の１つの実施例である「ジャイロ」型振り分け装置は２つの椀状体を含む。椀状体は、球殻若しくは回転楕円体殻（楕円球殻）などの回転体をその１つの回転対称軸に沿って２つの面で切り取った部分球殻若しくは回転楕円体殻などからなる。つまり、椀状体は、曲面によって構成される例えば半球殻、半回転楕円球殻、１／４球殻、１／４回転楕円球殻などである。なお、半球殻であれば、椀状体の開口端面の形状は円型である。また、半楕円球殻であれば、椀状体の開口端面の形状は円形若しくは楕円型である。椀状体は、それぞれの回転対称軸を互いに直交するように配置されており、一方の回転対称軸は遊技盤面と垂直方向に伸長させることが好ましい。また、椀状体の一方は他方の椀状体に覆い被さるようにして、つまり椀状体の一方に他方が嵌合するようにして、いわゆる「ジャイロ」の如く回転が可能である。この「ジャイロ」型振り分け装置では、内側の椀状体内部に進入した遊技球が内側の椀状体及び外側の椀状体による内部空間に保持されて、一定の位置で振り分け装置の下部に落下せしめられる。つまり、振り分け装置の下部の特定の位置にステージ機構若しくはステージ機構上に開口を有する通路の入口を配置することで、振り分けられて当該位置に落下してきた遊技球のみがステージ機構の上に導かれて更に振り分けが行われるのである。
【０００９】
本発明による振り分け装置の１つの実施例である「ジャイロ」型振り分け装置について、図１乃至図８を用いて更に詳細に説明する。
【００１０】
特に、図１及び図２に示すように、遊技機１の遊技盤２の中央部には中央役物装置３が配置されている。中央役物装置３の中央部には、液晶パネルなどからなる表示器４が設置されておりここには遊技情報が表示される。表示器４の下部には波形ステージ５が設けられている。波形ステージ５は、遊技盤に沿って水平方向に細長い台状の部材である。台の表面は長手方向に向けて波打つように山部と谷部とが連続的に形成されている。波形ステージ５の長手方向中央部の山部５ａの後方には、高確率ルート出口６ａに連通する高確率ルート入口６ｂが設けられている。高確率ルート入口６ｂに入った遊技球は波形ステージ５の背後の通路を取って、高確率ルート出口６ａから遊技盤２と垂直方向に排出される。高確率ルート出口６ａから遊技盤２と垂直方向に排出された遊技球は、そのまま落下して、高確率ルート出口６ａの下方に設けられた後述する入賞口７に高い確率で入球することができるのである。
【００１１】
高確率ルート入賞口６ａの下方には電動チューリップの如き可動入賞口７が設けられている。可動入賞口７は、特定の遊技条件の成立によってその可動部が開動して内部に遊技球が入球可能となる。可動入賞口７に遊技球が入球すると、所定数の賞球が遊技者に払い戻される。
【００１２】
入賞口７の更に下方には、蓋体８ａによって閉塞されている大入賞口８がある。大入賞口８は、遊技盤２から水平方向に細長い直方形を切り取った貫通孔である。蓋体８ａは通常の遊技状態では大入賞口８を閉塞しており、遊技球が大入賞口８を通過することは出来ない。一方、特定の遊技条件が成立すると、蓋体８ａはその上方端部を遊技盤２の手前方向に回動せしめて、大入賞口８を開放するのである。これにより遊技盤２上を落下する遊技球は、蓋体８ａの裏面に衝突して、大入賞口８に導かれるのである。なお、蓋体８ａは水平方向に細長いので、遊技盤２上を流れる多くの遊技球を受け止めることが出来る。つまり、蓋体８ａが回動して大入賞口８が開放されると、遊技者は多くの賞球を容易に得ることが出来るため、特定の「大当たり」時に蓋体８ａは回動するのである。
【００１３】
大入賞口８の下方には遊技盤２に打ち出された遊技球が「はずれ球」として最終的に遊技機１の内部に回収されるための通路となる回収口９が設けられている。回収口９は図示しない通路によって遊技機１の内部の遊技球回収部に連通している。
【００１４】
遊技盤２に向かって中央役物装置３の左端部下方には、開口を上に向けた樋状部１５が設けられている。樋状部１５は表示部４の方向へ向けて下方向へ傾斜しており、樋状部１５に落下してくる遊技球はこの傾斜に沿って表示部４近傍の端部１５ａに集められる。端部１５ａには遊技球入口１６が設けられていて、端部１５ａに集められた遊技球を図示しない通路を通じて、波形ステージ５の側部上方に設けられた出口１７へ導く。出口１７から出た遊技球は波形ステージ５の上に落下するのである。
【００１５】
遊技盤２において、中央役物装置３の樋状部１５の上部には半球状の凹部である半球穴２５が設けられている。後述するように、「ジャイロ」型振り分け装置１０の外側椀状部材１２の回転経路の一部、すなわち外側椀状部材１２を形成する元となった球殻の半分が半球穴２５内に位置するようにして、振り分け装置１０は半球穴２５に設置されるのである。
【００１６】
特に、図３に示すように、振り分け装置１０は、内側椀状体１１及び外側椀状体１２の２つの椀状体を含む。内側椀状体１１は、Ｃ字状部材２３の内側の２カ所において軸支されて回転自在である。外側椀状体１２は、Ｃ字状部材２３に取り付けられたシャフト２４ａに回転自在に嵌合している椀状体固定部材５４の取り付け溝５５にその端部１２ａを固定される。また、外側椀状体１２の円形状開口部における端部１２ａと対称位置にある端部１２ｂは、遊技盤２に取り付けられたシャフト２４ｂに回転自在に嵌合している椀状体固定部材５４の取り付け溝５５に固定される。外側椀状体１２は内側椀状体１１を覆うように、つまり内側椀状体１１が外側椀状体１２に嵌合するように配置されている。
【００１７】
特に、図４に示すように、Ｃ字状部材２３は、金属製の平板を屈曲させて円環を形成し、その円環から一部を切り取った略Ｃ字状（半円状）の部材である。Ｃ字状部材２３の中央部にはシャフト２４ａがねじ留めされる。Ｃ字状部材２３の一端部近傍には、環状内側に向けて開口を有する受け穴５６が削孔されており、後述する第１の椀状部材１１の突起６１ａをその中に受け入れる。更に、Ｃ字状部材２３の他端部には、ねじ穴５７が設けられていて、後述する第１の椀状部材１１を回転駆動せしめるための小型モータユニット６２が取り付けられる。
【００１８】
図５を併せて参照すると、シャフト２４ａは、円柱状の棒状部材である。シャフト２４ａの一端部には凹溝部５１を有しており、Ｃ字状部材２３がその内部に挟み込まれてねじ留めされる。シャフト２４ａの長手方向中心よりも凹溝部５１寄りには、その径を減じた固定部材取付部５２が形成されている。更に、固定部材取付部５２の中央には、更に径を減じた細径部５３がある。固定部材取付部５２には、円管状の椀状体固定部材５４がこれを覆うように嵌合されて、シャフト２４ａの長手方向中心軸Ｙの周りに回転自在である。椀状体固定部材５４は、中央部に内側椀状体１１の端部を固定するための取り付け溝５５を有している。椀状体固定部材５４がシャフト２４ａの固定部材取付部５２に取り付けられたとき、取り付け溝５５は、細径部５３上に位置するのである。なお、椀状体固定部材５４がシャフト２４ａに対してなめらかに回転できるように、椀状体固定部材５４と固定部材取付部５２との間にボールベアリングの如きを挟んでいてもよい。シャフト２４ａの固定部材取付部５２の近傍には、後述する第２の椀状部材１２を回転駆動する小型モータユニット６３を取り付けるためのねじ穴６３ａが設けられている。
【００１９】
シャフト２４ｂは、シャフト２４ａと同様に、固定部材取付部５２及び細径部５３を有し、固定部材取付部５２には、円管状の椀状体固定部材５４が回動自在に嵌合されている。なお、シャフト２４ｂは、凹溝部５１を有していない以外はシャフト２４ａと同様の構造であるので詳述しない。
【００２０】
図６を参照すると、内側椀状体１１は、厚さの薄い球殻をその１つの回転軸Ｘに沿った面で半分に切断した半球殻である。内側椀状体１１は透明若しくは半透明の可塑性樹脂からなることが好ましく、このとき、後述するように内側椀状体１１の内部に収容された遊技球が外部から視認できるのである。内側椀状体１１の開口端部２カ所には、回転軸Ｘに平行に外側へ向けて２つの突起６１ａ及び６１ｂが伸長している。また、内側椀状体１１の湾曲面内側（内壁面）には、内側椀状体１１が回転したときにその内部の遊技球に動きを与えるための突条６３が回転軸Ｘに沿って設けられている。内側椀状体１１は可塑性樹脂からなるので、内側椀状体１１に衝突した遊技球は大なる反作用を受けて大きな動きの変化を与えられるのである。
【００２１】
図７を参照すると、外側椀状体１２も厚さの薄い球殻をその１つの回転軸Ｘに沿った面で半分に切断した半球殻である。外側椀状体１２の内径は、内側椀状体１１の外径よりも少なくとも大であり、且つ、Ｃ字状部材２３の外径よりも少なくとも大である。外側椀状体１２も透明若しくは半透明の可塑性樹脂からなることが好ましい。
【００２２】
図３及び図８を参照すると、遊技盤２には、外側椀状体１２の径よりも大なる半球状の凹穴である半球穴２５が設けられている。半球穴２５の上下対称位置には、シャフト２４ａ及び２４ｂをそれぞれ収容するための凹溝２５ａ及び２５ｂが形成されている。
【００２３】
シャフト２４ａのねじ穴６３ａ（図５参照）には小型モータユニット６３がねじ留めされる。小型モータユニット６３は椀状体固定部材５４をシャフト２４ａの中心軸Ｙの周りに回転させるように係合して、外側椀状体制御部７２に結線されてその回転を駆動制御される。シャフト２４ａは椀状体固定部材５４を半球穴２５の内部に突出させて凹溝２５ａ内にその端部を小型モータユニット６３とともに固定される。このときＣ字状部材２３は遊技盤２と垂直な面内において延在するように配置されることが好ましい。凹溝２５ａの上には、カバー部材２６ａが取り付けられる。
【００２４】
シャフト２４ｂは椀状体固定部材５４を半球穴２５の内部に突出させるようにしてその端部を凹溝２５ｂ内に固定される。凹溝２５ｂの上にもカバー部材２６ａが取り付けられる。
【００２５】
内側椀状体１１の突起６１ａは、Ｃ字状部材２３の受け孔５６に挿入される。また、突起６１ｂは、小型モータユニット６２の図示しない出力軸に接続されている。小型モータユニット６２は内側椀状体制御部７１からの信号を受けて突起６１ｂを回転させて内側椀状体１１を回転させることができる。つまり、内側椀状体１１は、その突起６１ａ及び６１ｂを結ぶ回転軸Ｘの周りを所定の方向に所定の回転数で回転可能なのである。
【００２６】
外側椀状体１２は、その取り付け端部１２ａ及び１２ｂがそれぞれシャフト２４ａ及び２４ｂの椀状体固定部材５４の取り付け溝５５内に嵌め込まれて固定される。小型モータユニット６３は、シャフト２４ａの椀状体固定部材５４を回転軸Ｙの周りに回転させることができる。これにより、小型モータユニット６３は外側椀状体制御部７２からの信号を受けて、外側椀状体１２を所定の方向に所定の回転数で回転させることができるのである。
【００２７】
以上の如く、内側椀状体１１及び外側椀状体１２のそれぞれを駆動するための駆動手段としての小型モータユニット６２及び６３は別個に設けられているため、内側椀状体１１及び外側椀状体１２は互いに独立して異なる回転速度（回転数）で回転可能なのである。
【００２８】
なお、図８では、回転軸Ｙ（シャフト２４ａ及び２４ｂを結ぶ直線）が鉛直方向に並ぶようにして振り分け装置１０が遊技盤２に固定されているが、回転軸Ｙは、鉛直方向から斜め方向に傾斜して設置されていても良い。
【００２９】
次に、本発明による振分け装置の１つの実施例である「ジャイロ」型振り分け装置の動作について説明する。
【００３０】
図１、図３及び図８に示すように、内側椀状体制御部７１は、小型モータユニット６２を駆動させて、内側椀状体１１を所定の速度Ｔ１で回転軸Ｘの周りに回転させる。一方、外側椀状体制御部７２は、小型モータユニット６３を駆動させて、外側椀状体１２を速度Ｔ２で回転軸Ｙの周りに回転させる。ここで、内側椀状体１１及び外側椀状体１２は、それぞれ互いに異なる回転数、異なる回転方向に回転し得るのである。
【００３１】
図９乃至図１２は、代表的な内側環状部材１１及び外側環状部材１２の位置関係を遊技盤２に沿って上から見たところを示している。つまり、図９（ａ）に示したように、紙面垂直方向に回転軸Ｙ、紙面内上下方向に回転軸Ｘが伸長しているのである。
【００３２】
図９は、外側椀状体１２を回転せしめて、外側椀状体１２が遊技盤２の外側にあって、その内壁面を遊技盤２の内側に向けたときの状態を示している。すなわち、遊技盤２の外側には、外側椀状体１２の外壁面が露出した状態である。一方、内側椀状体１１については、（ａ）はその内壁面を上方に向けた状態、（ｂ）はその内壁面を遊技盤２に向かって右方向へ向けた状態、（ｃ）はその内壁面を遊技盤２に向かって左方向に向けた状態、（ｄ）はその内壁面を下方向に向けた状態を示している。
【００３３】
図１０は、外側椀状体１２を回転せしめて、外側椀状体１２の一部だけが遊技盤２の外側にあって、その内壁面を遊技盤２に向かって右方向へ向けたときの状態を示している。内側椀状体１１については、図１０（ａ）乃至（ｄ）の各位置はそれぞれ図９（ａ）乃至（ｄ）と同じ位置にある。
【００３４】
図１１は、外側椀状体１２を回転せしめて、外側椀状体１２が遊技盤２の内側にあって、その内壁面を遊技盤２の外側に向けたときの状態を示している。なお、内側椀状体１１については、図１１（ａ）乃至（ｄ）の位置はそれぞれ図９（ａ）乃至（ｄ）と同じ位置にある。
【００３５】
図１２は、外側椀状体１２を回転せしめて、外側椀状体１２の一部だけが遊技盤２の外側にあって、その内壁面を遊技盤２に向かって左方向へ向けた状態である。内側椀状体１１については、図１２（ａ）乃至（ｄ）の位置はそれぞれ図９（ａ）乃至（ｄ）と同じ位置にある。
【００３６】
まず、図９に示すように、外側椀状体１２が遊技盤２の外側にあるときは、内側椀状体１１は外側椀状体１２及び遊技盤２の半球穴２５によって包囲されているから遊技盤２の外側に露出することはない。故に、内側椀状体１１の位置にかかわらず、打ち出された遊技球は遊技盤２に沿って落下して、外側椀状体１２の外壁面に衝突して、振り分け装置１０の内部に進入することはない。このとき、遊技球は、可塑性樹脂でできた外側椀状体１２の外壁面で大きくはねとばされてしまうため振り分け装置１０の下にある中央役物装置３の樋状部１５に落下することはほとんどないのである。
【００３７】
一方、図１０乃至図１２に示すように、外側椀状体１２の全部又は一部が遊技盤２の内側にあるとき、打ち出された遊技球が遊技盤２に沿って落下してくると、外側椀状体１２の内部に進入することが可能である。
【００３８】
このとき図１０（ｃ）、（ｄ）、図１２（ｃ）に示すように、内側椀状体１１及び外側椀状体１２の外壁面が上方を向いていると、打ち出されて遊技盤２に沿って落下してきた遊技球は、内側椀状体１１の外壁面、若しくは、外側椀状体１２の外壁面に衝突して大きくはねとばされてしまう。また、図１１（ｄ）に示すように、外側椀状体１２が遊技盤２の内側にあるときでも、内側椀状体１１の外壁面が上方を向いていると、打ち出されて遊技盤２に沿って落下してきた遊技球は、内側椀状体１１の外壁面に衝突して大きくはねとばされてしまう。よって、振り分け装置１０の下にある中央役物装置３の樋状部１５に落下することはできないのである。
【００３９】
更に、図１０（ｂ）、図１１（ｂ）、（ｃ）、図１２（ｃ）に示すように、外側椀状体１２の一部だけが遊技盤２の外側にあって、且つ、内側椀状体１１が遊技盤２の内側の半球穴２５内、又は、外側椀状体１２の内側にあるとき、打ち出された遊技球が遊技盤２に沿って落下してくると、一部は、外側椀状体１２の外壁面に衝突して大きくはねとばされてしまうが、一部は、振り分け装置１０を通過してそのまま直下へ落下し得るのである。ここで、例えば、図２及び図８に示した如く、中央役物装置３の樋状部１５は、遊技盤２に向かって振り分け装置１０の中心線よりも右半分の下方において開口を上方に向けている。よって、図１０（ｂ）、図１１（ｂ）の如く、振り分け装置１０を通過してそのまま落下した遊技球は、樋状部１５の上に落下するのである。一方、図１１（ｃ）、図１２（ｃ）において、振り分け装置１０を通過してそのまま落下した遊技球は、樋状部１５の上に落下できないのである。
【００４０】
次に、図１０（ａ）、図１１（ａ）及び図１２（ａ）に示すように、内側椀状体１１が内壁面を上に向けた位置にあるときには、遊技球は、内側椀状体１１の内部に入球して滞留するのである。ここで、内側椀状体１１の上方へ向けた開口面積は図１１（ａ）のとき最も大であって、遊技球が最も多く入球しやすい状態にある。続いて、内側椀状体１１が回転すると、遊技球は内側椀状体１１の内壁面に形成された突条６３によって、はじかれながら内側椀状体１１の内壁面、外側椀状体１２の内壁面、及び、遊技盤２の半球穴２５に衝突していくのである。このとき、内側椀状体１１及び外側椀状体１２の少なくとも一部が透明であれば、遊技者が振り分け装置１０の内部で運動する遊技球の動きを視認できて、遊技者への演出の効果を得ることができる。
【００４１】
内側椀状体１１及び外側椀状体１２が駆動手段としての小型モータユニット６２及び６３によって所定の回転速度（回転数）でそれぞれ回転すると、内側椀状体１１及び外側椀状体１２は、図１０（ｂ）、（ｄ）、図１１（ｂ）、（ｃ）、（ｄ）、図１２（ｃ）、（ｄ）に示すような位置に達する。このとき、遊技球は遊技盤２の前方にすべて排出される。つまり、遊技盤２の後方には半球穴２５が設けられているので、遊技球が遊技盤２の後方に落下することはできず、遊技盤２よりも後方において内側椀状体１１及び外側椀状体１２から排出された遊技球は半球穴２５の内面に沿って転がって、遊技盤２の前方へ向けて排出されるのである。
【００４２】
図１０（ｂ）、（ｄ）、図１１（ｂ）に示す位置に内側椀状体１１及び外側椀状体１２が位置したとき、振り分け装置１０の内部にある遊技球は、遊技盤２に向かって振り分け装置１０の中心線よりも右側に排出される。故に、遊技球は高い確率で樋状部１５に入球できるのである。
【００４３】
一方、図１１（ｃ）、図１２（ｃ）、（ｄ）に示す位置に内側椀状体１１及び外側椀状体１２が位置したとき、振り分け装置１０の内部にある遊技球は、遊技盤２に向かって振り分け装置１０の中心線よりも左側に排出される。故に、遊技球は、ほとんど樋状部１５に入球できない。
【００４４】
また、図１１（ｄ）に示す位置に内側椀状体１１及び外側椀状体１２が位置したとき、振り分け装置１０の内部の遊技球は振り分け装置１０の水平方向の幅全体に亘って排出されるのである。故に、２つ以上の遊技球のうちの半分程度が樋状部１５に入球し得るのである。
【００４５】
図示した内側椀状体１１及び外側椀状体１２の位置は代表的な配置にすぎない。外側椀状体１２は回転軸Ｙの周りに回転するから、例えば、外側椀状体１２の位置は、図９に図示したような遊技盤２の前方にその全体が露出した状態と、図１０に図示したような遊技盤２の前方にちょうどその半分が露出した状態との中間の位置にも配置され得る。すなわち、外側椀状体１２は、遊技盤２の前方にその１／４が露出した状態などに配置され得るのである。同様に、例えば、内側椀状体１１の位置は、図９（ａ）に図示したように遊技盤２の前方にその半分が位置した状態と、図９（ｂ）に図示したように遊技盤２の前方にその半分が位置した状態との中間の位置、すなわち遊技盤２の前方にその１／４が位置した状態などにも配置され得る。つまり、本発明による振り分け装置の１つの実施例によれば、内側椀状体１１及び外側椀状体１２の２つの椀状体を異なる回転速度で回転させることができるので、互いの位置関係を非常に複雑に変化させることができるのである。故に、内側椀状体１１及び外側椀状体１２の内部に保持される遊技球の動きがバラエティーに富み、遊技者に高い興趣を与えることができるのである。また、本発明による振り分け装置の１つの実施例によれば、椀状体により得られる大なる開口が打ち出されて遊技盤上を落下する多数の遊技球を受け入れて、これらを一度に振り分けることができるので、入賞口などを特別に設ける必要が無い。特に、中央役物装置が大型化している近年の遊技機において有効なのである。
【図面の簡単な説明】
【００４６】
【図１】本発明による振り分け装置の１つの実施例を含む遊技機の正面図である。
【図２】本発明による振り分け装置の１つの実施例を含む中央役物装置及び入賞口の正面図である。
【図３】本発明による振り分け装置の１つの実施例の要部の分解斜視図である。
【図４】本発明による振り分け装置の１つの実施例の要部の正面図である。
【図５】本発明による振り分け装置の１つの実施例の要部の正面図である。
【図６】本発明による振り分け装置の１つの実施例の要部の正面図である。
【図７】本発明による振り分け装置の１つの実施例の要部の正面図である。
【図８】本発明による振り分け装置の１つの実施例を含む遊技盤の一部の斜視図である。
【図９】本発明による振り分け装置の１つの実施例の要部の上面図である。
【図１０】本発明による振り分け装置の１つの実施例の要部の上面図である。
【図１１】本発明による振り分け装置の１つの実施例の要部の上面図である。
【図１２】本発明による振り分け装置の１つの実施例の要部の上面図である。
【符号の説明】
【００４７】
１        遊技機
２        遊技盤
３        中央役物装置
４        表示器
５        波形ステージ
６ａ      高確率ルート出口
６ｂ      高確率ルート入口
７        入賞口
８        大入賞口
８ａ      蓋体
９        回収口
１５      樋状部
１６      遊技球入口
１７      ステージ出口
１０      振り分け装置
１１      内側椀状体
１２      外側椀状体
２３      Ｃ字状部材
２４ａ、２４ｂ    シャフト
２５      半球穴
５１      凹溝部
５２      固定部材取付部
５３      細径部
５４      椀状体固定部材
５５      取り付け溝
５６      受け孔
５７      ねじ穴
６１ａ、６１ｂ    突起
６２、６３        小型モータユニット
７１      内側椀状体制御部
７２      外側椀状体制御部
【図３】
2007151912.tif 000003
【図４】
2007151912.tif 000004
【図５】
2007151912.tif 000005
【図６】
2007151912.tif 000006
【図７】
2007151912.tif 000007
【図８】
2007151912.tif 000008
【図９】
2007151912.tif 000009
【図１０】
2007151912.tif 000010
【図１１】
2007151912.tif 000011
【図１２】
2007151912.tif 000012
【図１】
2007151912.tif 000013
【図２】
2007151912.tif 000014